(57)【要約】【課題】貼付時の作業性と衛生面に優れ、カテーテルの固定などに好適に使用されるドレッシング材の提供。【解決手段】皮膚に順応するフィルム基材１１の一面側に第１の粘着層１２が形成され、他面側に前記フィルム基材１１と剥離可能にキャリアフィルム１４が積層したドレッシング材１０であって、第１の粘着層１２におけるフィルム基材１１とは反対面側に、第１の粘着層１２と剥離可能な第１の剥離紙１３が設けられ、該第１の剥離紙１３における第１の粘着層１２とは反対面側に、第２の粘着層１２’と、該第２の粘着層１２’と剥離可能な第２の剥離紙１３’とが順次積層したドレッシング材１０。【選択図】図２
2014104055.tif 000002
【特許請求の範囲】
【請求項１】
皮膚に順応するフィルム基材の一面側に第１の粘着層が形成され、他面側に前記フィルム基材と剥離可能にキャリアフィルムが積層したドレッシング材であって、
前記第１の粘着層における前記フィルム基材とは反対面側に、前記第１の粘着層と剥離可能な第１の剥離紙が設けられ、該第１の剥離紙における前記第１の粘着層とは反対面側に、第２の粘着層と、該第２の粘着層と剥離可能な第２の剥離紙とが順次積層したことを特徴とするドレッシング材。
【発明の詳細な説明】
【技術分野】
【０００１】
本発明は、例えばカテーテルなどの固定、創傷部への貼付に使用されるドレッシング材に関する。
【背景技術】
【０００２】
点滴などに用いられるカテーテルの固定、創傷部の保護などを目的として、皮膚に貼付するドレッシング材が広く使用されている。
ドレッシング材は、基材と、基材の片面に形成された粘着層と、粘着層を覆う剥離紙とを備えて構成されるものが一般的である。このようなドレッシング材の基材には、柔軟であり、貼付後には皮膚に良好に順応して違和感が生じにくいことから、薄いポリウレタンフィルムなどが使用されている。
【０００３】
ところが、このように柔軟で薄い基材は、剛性が不十分であるため、粘着層の表面（粘着面）から剥離紙を剥離した際に、粘着面同士が合着したり、シワが寄ったりしやすく、貼付時の取扱性に劣る。
そこで、基材の粘着層が形成されていない方の面に、剛性のあるキャリアフィルムを剥離可能に積層することが行われている（例えば特許文献１および２参照。）。
【０００４】
キャリアフィルムを備えたドレッシング材を皮膚に貼付する際には、剥離紙を剥離して露出した粘着面を皮膚に貼付した後に、基材からキャリアフィルムを剥離する。
このような手順で貼付すると、皮膚への貼付時にはキャリアフィルムがドレッシング材に未だ積層した状態であるため、ドレッシング材の剛性はキャリアフィルムにより維持されており、粘着面同士の合着などの不都合は起こりにくく、貼付時の取扱性に優れる。
【０００５】
ところで、ドレッシング材を用いてカテーテルを固定する場合、看護師などの介護者は、患者の静脈にカテーテルを留置し、該カテーテルに点滴用のチューブを接続した後、片手でカテーテルを押さえながら、もう一方の手で、ドレッシング材をカテーテルの上から皮膚に貼り付ける。このようにカテーテルの固定時には、介護者は片手でドレッシング材を取扱い、皮膚に貼り付ける必要がある。そのため、介護者は作業に際して、まず、ドレッシング材の剥離紙を剥離して粘着面を露出させ、露出した粘着面を上にして作業台の上などに仮置きしておき、カテーテルの留置後、このように仮置きしておいたドレッシング材を作業台の上などから片手で取り、カテーテルの上から皮膚に貼り付けることがあった。
【先行技術文献】
【特許文献】
【０００６】
【特許文献１】特開２０１２−０６１１７０号公報
【特許文献２】特開２０１２−０６１１７１号公報
【発明の概要】
【発明が解決しようとする課題】
【０００７】
しかしながら、上述のようにあらかじめ剥離紙を剥がし、ドレッシング材を作業台の上などに仮置きしておくと、片手でドレッシング材を作業台から取り、そのまま患者の皮膚に貼り付けることができ、作業性には優れるが、粘着面が暴露するため、常在菌や浮遊菌が暴露した粘着面に付着し、粘着面を介して患者の皮膚に移行するという衛生面での懸念があった。
【０００８】
本発明は上記事情に鑑みてなされたもので、貼付時の作業性と衛生面に優れ、カテーテルの固定などに好適に使用されるドレッシング材の提供を課題とする。
【課題を解決するための手段】
【０００９】
本発明のドレッシング材は、皮膚に順応するフィルム基材の一面側に第１の粘着層が形成され、他面側に前記フィルム基材と剥離可能にキャリアフィルムが積層したドレッシング材であって、
前記第１の粘着層における前記フィルム基材とは反対面側に、前記第１の粘着層と剥離可能な第１の剥離紙が設けられ、該第１の剥離紙における前記第１の粘着層とは反対面側に、第２の粘着層と、該第２の粘着層と剥離可能な第２の剥離紙とが順次積層したことを特徴とする。
【発明の効果】
【００１０】
本発明によれば、貼付時の作業性と衛生面に優れ、カテーテルの固定などに好適に使用されるドレッシング材を提供できる。
【図面の簡単な説明】
【００１１】
【図１】本発明のドレッシング材の一例を示す平面図である。
【図２】図１のドレッシング材のＡ−Ａ’線に沿う断面図である。
【発明を実施するための形態】
【００１２】
以下、本発明について詳細に説明する。
図１は、本発明のドレッシング材の一例を示す平面図、図２は、図１のドレッシング材のＡ−Ａ’線に沿う断面図である。
この例のドレッシング材１０は、皮膚に順応するフィルム基材１１を有し、その一面側に第１の粘着層１２が形成され、該第１の粘着層１２におけるフィルム基材１１とは反対面側に、該第１の粘着層１２と剥離可能な第１の剥離紙１３が積層している。また、フィルム基材１１の他面側には、フィルム基材１１と剥離可能にキャリアフィルム１４が積層している。そして、第１の剥離紙１３における第１の粘着層１２とは反対面側に、第２の粘着層１２’が積層し、さらに該第２の粘着層１２’と剥離可能な第２の剥離紙１３’が積層している。すなわち、この例のドレッシング材１０は、キャリアフィルム１４、フィルム基材１１、第１の粘着層１２、第１の剥離紙１３、第２の粘着層１２’、第２の剥離紙１３’が順次積層して構成されている。
なお、フィルム基材１１と第１の粘着層１２、および、第１の剥離紙１３と第２の粘着層１２’とは、剥離不能に形成されている。
【００１３】
フィルム基材１１には、皮膚に貼付した際に皮膚に順応する材質、厚みのものが使用される。この例では、柔軟性、伸度に優れ、皮膚に良好に順応するとともに、患部の蒸れを防止する透湿性を備えている点から、厚みが５〜１２０μｍのポリウレタンフィルムが使用されている。該ポリウレタンフィルムは透明性を備えているため、カテーテルの留置状態などを確認できる。
フィルム基材に好適なその他の材質としては、ポリオレフィン、ポリ塩化ビニル、ポリアミド、エチレン酢酸ビニル共重合体、ポリエステル、ポリビニルアルコール、ポリ塩化ビニリデンなどが挙げられ、材質にもよるが、好適な厚みは５〜５０μｍ程度である。
【００１４】
フィルム基材１１の一面側に形成された第１の粘着層１２は、皮膚に貼付されるものであるため、皮膚への刺激が少なく、好ましくは耐水性の高い粘着剤から形成される。
粘着剤としては、例えばアクリル系樹脂、天然ゴム、水系高分子エマルジョン、熱可塑性ゴム、ポリウレタン、ポリアクリルエステルコポリマー、シリコーン樹脂等を主成分とするものが使用できる。第１の粘着層１２の材質や厚みは、皮膚の発汗や動き等によって容易に剥離せず、かつ、皮膚から剥離するときに皮膚を傷めない粘着力を有するように調整される。例えば、好適な具体例としては、アクリル酸共重合体などのアクリル系樹脂で形成された厚み１０〜４０μｍの粘着層が挙げられる。
【００１５】
第１の粘着層１２の粘着面１２ａに積層する第１の剥離紙１３としては、例えば、シリコーン樹脂または非シリコーン系樹脂で処理されたクラフト紙、グラシン紙、シリコーン樹脂または非シリコーン系樹脂で処理されたポリエチレンをラミネートしたクラフト紙、シリコーン樹脂または非シリコーン系樹脂で処理されたポリエチレンテレフタレート（ＰＥＴ）フィルム等、医療用として使用可能なものを適宜採用できる。
【００１６】
フィルム基材１１の他面側には、フィルム基材１１と剥離可能に積層、密着したキャリアフィルム１４が設けられている。キャリアフィルム１４を設けることにより、ドレッシング材１０全体としての剛性を高め、貼付時の粘着面同士の合着などの不都合を防止できる。
このようにキャリアフィルム１４は、ドレッシング材１０の取扱性を高めるために設けられるものであって、ドレッシング材１０を皮膚へ貼付した後には、フィルム基材１１から剥離される。そのため、フィルム基材１１とキャリアフィルム１４との剥離強度は、皮膚への貼付前の運搬時の衝撃や振動などによって剥離せず、かつ、手でフィルム基材１１とキャリアフィルム１４とを剥離しようとした際には、容易に剥離できるように調整される。
【００１７】
フィルム基材１１とキャリアフィルム１４との剥離強度は、フィルム基材１１の材質とキャリアフィルム１４の材質とを適切に組み合わる方法；フィルム基材１１におけるキャリアフィルム１４との接触面、または、キャリアフィルム１４におけるフィルム基材１１との接触面に、剥離強度がコントロールされた粘着層を設ける方法；などにより調整できる。
この例では、フィルム基材１１にはポリウレタンを採用し、キャリアフィルム１４には紙を採用している。そして、シリコーン処理、クレイ処理などの薬剤処理した紙（キャリアフィルム１４）の表面に、フィルム基材１１をラミネートすることにより、フィルム基材１１とキャリアフィルム１４との剥離強度を調整している。
【００１８】
また、キャリアフィルムの材質として、例えばポリエチレンなどの樹脂を採用し、ポリウレタンとポリエチレンとの共押出により、フィルム基材とキャリアフィルムとが擬似接着し、剥離可能に積層、密着した積層体を製造し、これをドレッシング材に用いることもできる。フィルム基材にポリウレタンを用いる場合には、キャリアフィルムの材質としては、紙、ポリエチレンなどのポリオレフィンの他、ポリエステルが好ましく使用できる。また、キャリアフィルムとしては、複数のフィルムを積層させたラミネートフィルム（例えばポリエステルフィルムと他のフィルムとのラミネートフィルムなど。）も使用できる。
また、キャリアフィルムの材質として上述のような樹脂を採用し、フィルム基材とキャリアフィルムとを剥離可能に積層する方法としては、共押出の他、ラミネート、コーティング、蒸着などが挙げられる。
【００１９】
キャリアフィルム１４の厚みは、ドレッシング材１０に求められる剛性、キャリアフィルム１４の材質に応じて決定され、例えば、４０〜２５０μｍの範囲が好適である。
【００２０】
なお、この例では、図２に示すように、キャリアフィルム１４と第１の剥離紙１３とがフィルム基材１１および第１の粘着層１２よりも大きい面積とされて、フィルム基材１１および第１の粘着層１２よりも外方に延出するように設けられている。そのため、キャリアフィルム１４をフィルム基材１１から剥離する場合や、第１の剥離紙１３と第１の粘着層１２との間を剥離する場合には、それぞれの延出した部分を指先でつかむなどして利用することで、容易に剥離できる。また、第１の粘着層１２によりドレッシング材１０を患者の皮膚に貼付する作業においては、キャリアフィルム１４の延出した部分をつかむことにより、露出した第１の粘着層１２に触れることなくドレッシング材１０をつかみ、皮膚に貼付できる。
【００２１】
そして、この例のドレッシング材１０は、第１の剥離紙１３における第１の粘着層１２とは反対側に、第２の粘着層１２’と第２の剥離紙１３’とがさらに順次積層し、粘着層を２層有している。そのため、詳しくは後述するように、第１の粘着層１２は患者の皮膚への粘着に用い、第２の粘着層１２’は介護者の手袋などに仮粘着させるために用いることができ、それぞれの粘着層に役割分担させることができる。
【００２２】
第２の粘着層１２’の形成には、例えば第１の粘着層１２の形成において例示した粘着剤を同様に使用でき、同程度の厚みで形成すればよいが、第２の粘着層１２’は患者の皮膚に粘着するものではないため、皮膚への刺激、耐水性などは、考慮しなくてもよい。第２の粘着層１２’の好適な具体例としては、アクリル酸共重合体などのアクリル系樹脂で形成された厚み１０〜４０μｍの粘着層が挙げられる。
第２の粘着層１２’の粘着面１２ａ’に積層する第２の剥離紙１３’としては、例えば、第１の剥離紙１３として例示したものなどを適宜採用できる。
【００２３】
また、この例では、図２に示すように、第２の剥離紙１３’が第２の粘着層１２’よりも大きい面積で形成され、第２の粘着層１２’よりも外方に延出するように設けられている。そのため、第２の剥離紙１３’を第２の粘着層１２’から剥離する場合には、第２の剥離紙１３’の延出した部分を指先でつかみ、第２の剥離紙１３’を容易に剥離できる。
【００２４】
このようなドレッシング材１０の使用方法について、点滴時におけるカテーテルの固定を例示して説明する。
看護師などの介護者は、まず、最も外側の第２剥離紙１３’を剥離し、該第２の剥離紙１３’で覆われていた第２の粘着層１２’を露出させ、その粘着面１２ａ’により、介護者のカテーテルを押さえる側の手の手袋（以下、単に介護者の手袋という。）などにドレッシング材１０を付着させる。これにより、ドレッシング材１０を介護者の手袋などに仮置き（仮粘着）できる。このように仮置きした後、介護者は、患者の静脈にカテーテルを留置し、該カテーテルに点滴用のチューブを接続した後、片手でカテーテルを押さえながら、介護者の手袋などに固定されている仮置きした状態のドレッシング材１０をもう一方の手で介護者の手袋から取り上げる。この際、第２の粘着層１２’は介護者の手袋に粘着しているため、第１の剥離紙１３と第１の粘着層１２との間が剥離する。そして、この剥離により新たに露出した第１の粘着層１２の粘着面１２ａをカテーテルの上から患者の皮膚に貼り付ける。患者の皮膚への貼付後、キャリアフィルム１４の端をつかみ、キャリフィルム１４の全体をフィルム基材１１から剥離する。これにより、フィルム基材１１のみを第１の粘着層１２を介してカテーテルおよび皮膚に密着させることができる。
【００２５】
このようなドレッシング材１０によれば、介護者の手袋などに仮置きでき、仮置き中の落下も抑制されるため、作業性に優れる。また、介護者の手袋などに粘着した状態のドレッシング材１０からは、第１の粘着層１２を露出させる作業を片手でも容易に行える。また、仮置き時に介護者の手袋に付着するのは第２の粘着層１２’で、患者の皮膚に付着するのは第１の粘着層１２であり、別の層である上、第１の粘着層１２は貼付される直前まで第１の剥離紙１３により密封されている。そのため、施設内にある常在菌、浮遊菌、埃やチリなどが粘着層を介して患者の皮膚に移行するという衛生面の問題を回避でき、衛生的である。
【００２６】
この例のドレッシング材１０は、例えば次のようにして製造できる。
まず、シリコーン処理、クレイ処理などの薬剤処理した紙からなるキャリアフィルム１４を用意する。ついで、この薬剤処理された表面に、フィルム基材１１をラミネートする方法などで、キャリアフィルム１４とフィルム基材１１との剥離強度を調整しつつ、キャリアフィルム１４の上にフィルム基材１１を剥離可能に設ける。ついで、フィルム基材１１のキャリアフィルム１４と接していない面側に、例えば粘着剤と水系または溶剤系の溶媒を含む粘着層形成液を塗布して第１の粘着層１２を形成し、その上に第１の剥離紙１３を設ける。ついで、第１の剥離紙１３の第１の粘着層１２と接していない面側に、粘着層形成液を塗布して第２の粘着層１２’を形成し、その上に第２の剥離紙１３’を設ける。
【００２７】
以上、本発明のドレッシング材の一例として、図１および２を例示して説明したが、本発明はこれに限定されず、例えば、ドレッシング材の平面視における形状には制限はない。
また、ドレッシング材は、以上例示したような枚葉タイプに限らず、複数のドレッシング材が連続し、巻物状に形成されたものでもよい。その際、キャリアフィルムの外面を剥離コートすることで、剥離紙（第２の剥離紙）不要タイプとしてもよい。
【００２８】
さらに、ドレッシング材の用途によっては、第１の粘着層１２と第１の剥離紙１３との間、すなわち、第１の粘着層１２の粘着面１２ａには、創の保護、体液の吸収、湿潤環境の維持、治癒の促進、疼痛の軽減などの目的で、ガーゼ、不織布、コットン、スポンジ、キチン、アルギン酸塩、シリコーンゴムなどのパッド材や、自粘着タイプのパッド材（例えば、ポリウレタンフォーム、ハイドロコロイド、ハイドロゲル、ハイドロポリマー、シリコーンゲル、水性ゲルなど。）などからなるパッドを設けてもよい。
また、第１の粘着層１２に、粘着剤の他に、消炎、鎮痛作用を有する成分などを含有させ、湿布タイプのドレッシング材としてもよい。
【符号の説明】
【００２９】
１０  ドレッシング材
１１  フィルム基材
１２  第１の粘着層
１３  第１の剥離紙
１２’  第２の粘着層
１３’  第２の剥離紙
１４  キャリアフィルム
【図１】
2014104055.tif 000003
【図２】
2014104055.tif 000004